(57)【要約】      （修正有）【課題】動物用リードの不用意な離脱を防止できる連結留め具を提供する。【解決手段】留め具本体２０の楕円形鉤部２１及び揺動体４０によって係合リング１２を係合する環状の係合部２８が形成され、揺動体４０は、楕円形鉤部の当接部２２に当接するロッド部４１を具え、枢着座２４に対してリベット６０を軸として搖動可能に枢着され、螺旋バネ６１により揺動及び復帰可能とし、枢着座２４の一方の側辺には、安全孔２５が設けられて、ロッド部４１には押圧ブロック５０及び復帰バネ６２が設けられ、押圧ブロック先端の安全突起５１２が枢着座側の安全孔２５に嵌入することにより、搖動体４０をロックすると共にスライドブロック５１により開放可能とする。【選択図】図７
0003186485.tif 000002
【実用新案登録請求の範囲】
【請求項１】
切欠き部を設けた楕円形鉤部を具えた留め具本体及び該切欠きを閉鎖する揺動体とから環状の係合部を形成する改良型連結留め具であって、
該楕円形鉤部の切欠き部末端には、該搖動部のロッド部に接する当接部が設けられ、
切欠の底部には、該搖動部を搖動可能に枢着して支持する枢着座が設けられ、
前記枢着座の中心部分には、螺旋バネが設けられて該ロッドを設けた搖動部を搖動及び復帰可能とし、
前記枢着座の一方の側辺には、安全孔が設けられると共に、前記揺動体は、ロッド部内に押圧ブロック、復帰バネを収容して配置し、
ロッド部側辺に開口するスリットが設けられて、前記押圧ブロックにスライドブロックを設けると共に該スライドブロック後部に押圧片を設けて該スリットを介して外部に露出してスライド操作可能とされ、
前記スライドブロックの上部には、前記復帰バネが貫設される円柱ロッドが設けられ、前記スライドブロックの底部には、前記枢着座上の安全孔内に挿設される安全突起が設けられて、該復バネにより安全突起が前記枢着座の安全孔に押圧されて嵌入することを特徴とする改良型連結留め具。
【請求項２】
前記揺動体は、前記枢着部に設けられた枢着孔に貫設されたリベットにより、搖動可能に枢着された
ことを特徴とする請求項１に記載の改良型連結留め具。
【請求項３】
前記揺動体は、前記楕円形鉤部と揺動体で形成される係合部の内側方向に向けて揺動すると共に、前記ロッド部の底部の枢着部の中心部分の螺旋バネにより、揺動及び復帰可能としたことを特徴とする請求項１に記載の改良型連結留め具。
【請求項４】
前記押圧ブロック及び前記復帰バネは、前記ロッド部の中心部分に形成された収容室内に収容され、該押圧ブロックの安全突起が前記安全孔から離脱した後、前記安全突起を復帰させることを特徴とする請求項１に記載の改良型連結留め具。
【請求項５】
前記螺旋バネの一方の端部は、前記留め具本体に当接され、前記螺旋バネの他方の端部は、前記ロッド部の側縁に係合されることを特徴とする請求項１に記載の改良型連結留め具。
【考案の詳細な説明】
【技術分野】
【０００１】
本考案は、改良型連結留め具に関し、特に、押圧ブロックを上方に押圧した後、内側に押圧するという連続した２段階の動作を行うことにより、揺動体を揺動させて開口を形成し、係合部から係合リングを取り外す改良型連結留め具に関し、係合部から係合リングを取り外すためには、連続した２段階の動作を行う必要があるため、ペットが暴れ、係合リングが左右に移動して押圧ブロックを押圧し、係合部から係合リングが外れ、ペットが逃走したり、人に怪我をさせたり、事故が起こったりするのを防止することができる。
【背景技術】
【０００２】
現代社会において、家庭でペットを飼うことは、極めて一般的なことである。飼われるペットとしては、猫及び犬が大多数を占める。犬は、忠誠心があるため、多くの人に飼われている。犬を散歩に連れて行く際、犬の動きを制御するために、ハーネス又はリードが付いた留め具が利用される。
【０００３】
現在、一般に販売されている動物用リードの留め具は、ペットを連れて外出する際、ペットが暴れると、リードが緊張したり、緩んだりするため、首輪上の係合リング１２が揺動体１０を押圧し、首輪の係合リング１２から留め具が外れ、ペットが逃走したり、人に怪我をさせたり、事故が起こったりする虞がある。図１〜図３に示すように、ペットが暴れると、係合リング１２によって揺動体１０に一方向に力が付勢されるため、揺動体１０が開き、係合部１１から係合リング１２が外れる虞がある。
【０００４】
本考案の考案者は、従来技術における欠点に鑑み、修正及び改良を重ね、ついに、本考案の改良型連結留め具を案出した。
【先行技術文献】
【特許文献】
【０００５】
【特許文献１】特開昭５８−２１２７３１号公報
【考案の概要】
【考案が解決しようとする課題】
【０００６】
本考案の目的は、ペットを連れて外出した際、ペットが暴れ、係合リングが左右に移動して押圧ブロックを押圧し、係合部から係合リングが外れ、ペットが逃走したり、人に怪我をさせたり、事故が起こったりするのを防止することができる改良型連結留め具を提供することにある。
【課題を解決するための手段】
【０００７】
上述の課題を解決するために、本考案の改良型連結留め具は、留め具本体及び揺動体を具える。留め具本体の上端には、楕円形鉤部が設けられる。楕円形鉤部の一方の側辺には、切欠が設けられる。切欠の底部には、枢着座が設けられる。枢着座の一方の側辺には、安全孔が設けられ、枢着座の中心部分には、枢着孔が設けられる。枢着孔には、リベットが貫設されることにより、ロッド部の枢着部が結合される。留め具本体の楕円形鉤部及び揺動体によって係合部が形成される。揺動体は、楕円形鉤部の内側部分において揺動することができる上、ロッド部の底部の枢着部の中心部分の螺旋バネにより、揺動及び復帰することができる。揺動体は、ロッド部、押圧ブロック、螺旋バネ及び復帰バネを含む。ロッド部の中心部分には、押圧ブロック及び復帰バネが収容される収容室が設けられる。収容室の側辺には、スリットが設けられる。ロッド部の底部には、枢着部が設けられる。枢着部の中心部分には、螺旋バネが設けられる。螺旋バネの一方の端部は、留め具本体に当接され、螺旋バネの他方の端部は、ロッド部の側縁に係合される。押圧ブロックの前部には、スライドブロックが設けられ、後部には、押圧片が設けられる。スライドブロックの上部には、復帰バネが貫設される円柱ロッドが設けられる。押圧片は、スリットを貫通してロッド部外側に露出する。スライドブロックの底部には、枢着座上の安全孔内に挿設される安全突起が設けられる。これにより、復帰バネが押圧ブロックを押圧して安全突起を安全孔内に挿設させている際は、ロッド部が揺動して開口を形成し、係合部から係合リングが外れ、首輪上の係合リングから留め具本体が外れ、ペットが逃走することがない。また、係合部から係合リングを取り外す場合、押圧ブロックを上方に押圧した後、内側に押圧するという連続した２段階の動作を行うことにより、ロッド部を揺動させて開口を形成し、係合部から係合リングを取り外すことができる。即ち、係合部から係合リングを取り外すためには、連続した２段階の動作を行う必要があるため、ペットが暴れ、係合リングが左右に移動して押圧ブロックを押圧し、係合部から係合リングが外れ、ペットが逃走するのを防止することができる。
【考案の効果】
【０００８】
本考案の改良型連結留め具は、係合部から係合リングを取り外す場合、押圧ブロックを上方に押圧した後、内側に押圧するという連続した２段階の動作を行うことにより、揺動体を揺動させて開口を形成し、係合部から係合リングを取り外すことができる。本考案により、ペットが暴れた際、係合リングが左右に移動して押圧ブロックを押圧し、係合部から係合リングが外れるのを防止することができる。
【図面の簡単な説明】
【０００９】
【図１】従来の留め具を示し、係合リングが揺動体を押圧し、係合部から係合リングが外れる状態を示す平面図である
【図２】従来のもう１つの留め具を示し、係合リングが揺動体を押圧し、係合部から係合リングが外れる状態を示す平面図である。
【図３】従来の更にもう１つの留め具を示し、係合リングが揺動体を押圧し、係合部から係合リングが外れる状態を示す平面図である。
【図４】本考案の改良型連結留め具に係合リングが係合された状態を示す平面図である。
【図５】本考案の改良型連結留め具のロッド部、押圧ブロック、復帰バネ、螺旋バネ及びリベットを示す分解平面図である。
【図６】本考案の改良型連結留め具を示す断面図である。
【図７】本考案の改良型連結留め具に係合リングが係合された状態を示す断面図である。
【図８】本考案の改良型連結留め具の揺動体を開けた状態を示す断面図である。
【考案を実施するための形態】
【００１０】
本考案の図面を用いて例示する実施形態中に述べる前後、左右、上下、水平及び垂直は、描写の都合上用いるものであり、本考案を限定するものではない。また、構成部材の位置及び方向は、限定されない。図面及び明細書に示す寸法は、必要に応じ、本考案の主旨を逸脱しない範囲において変更することができる。
【００１１】
図４〜図７を参照する。本考案の改良型連結留め具は、留め具本体２０及びリード側の係合リングを係合・開放するための揺動体４０を具える。
留め具本体２０の上側には、切欠き部２８を設けた環状の楕円形鉤部２１が形成され、楕円形鉤部２１の切欠き部末端には、搖動部４０のロッド部４１に接する当接部２２が設けられる。
楕円形鉤部２１の該切欠き部２８に対して上記搖動部４０が搖動して改良型連結留め具の係合リングを係合する環状の係合部２８の開放、閉鎖を行う。
留め具本体２０の楕円形鉤部２１及び揺動体４０によって係合リング１２を係合する環状の係合部２８が形成される。
切欠２３の底部には、搖動部４０を搖動可能に枢着して支持する枢着座２４が設けられる。
揺動体４０は、楕円形鉤部２１末端の当接部２２に当接するロッド部４１を具え、
枢着座２４の中心部分には枢着孔２６が設けられ、枢着孔２６には、リベット６０が貫設されることにより、ロッド部４１の枢着部４４が搖動部として回動して搖動可能に枢着される。
さらに、ロッド部４１の底部の枢着部４４の中心部分には、螺旋バネ６１が設けられ、螺旋バネ６１の一方の端部６１１は、留め具本体２０に当接され、他方の端部６１２は、ロッド部４１の側縁に係合される。
この構造により揺動体４０は、楕円形鉤部２１と搖動体４０によって形成される係合部２８の内側方向に揺動することができると共に、ロッド部４１の底部の枢着部４４の中心部分の螺旋バネ６１により、揺動及び復帰することができる。
枢着座２４の一方の側辺には、安全孔２５が設けられ、ロッド部４１の中心部分には、押圧ブロック５０及び復帰バネ６２が収容される収容室４２が設けられ、該押圧ブロック５０先端の安全突起５１２が枢着座２４側の該安全孔２５に嵌入することにより、上記搖動体４０をロックする。
収容室４２の側辺には、外側に開放されたスリット４３が設けられ、押圧ブロック５０の前部には、スライドブロック５１が設けられ、後部には、押圧片５２が設けられる。スライドブロック５１の上部には、復帰バネ６２が貫設される円柱ロッド５１１が設けられる。スライドブロック５１底部には、枢着座２４の安全孔２５内に挿設される安全突起５１２が設けられる。押圧片５２は、スリット４３を貫通してロッド部４１外側に露出することにより、該押圧片５２をスライド操作して、上記押圧ブロック５０を安全孔から脱出させて、上記ロック状態を開放することができる。
以上の構造により、本考案の改良型連結留め具が構成される。
【００１２】
図５〜図７に示すように、ロッド部４１内の復帰バネ６２が押圧ブロック５０を押圧することにより安全突起５１２が安全孔２５内に挿設されてロッド部４１がロックされるため、不用意にロッド部４１が揺動して開口を形成し、係合部２８から係合リング１２が外れることがなく、ペットの首輪上の係合リング１２を係合部２８内に安定して係合することができる。
これにより、ペットが暴れて係合リング１２が押圧ブロック５０を一方向に押圧し、押圧ブロック５０の安全突起５１２が安全孔２５から離脱しても、押圧ブロック５０を更に内側に押圧し、ロッド部４１を揺動させ、楕円形鉤部２１に切欠２３を形成しなければ、係合部２８から係合リング１２を取り外すことができない。即ち、係合部２８から係合リング１２を取り外すには、押圧ブロック５０のスライド操作と押圧ブロックを設けたロッド部４１の押圧操作の連続した２段階の動作が必要であるため、ペットが暴れ、係合リング１２が左右に移動して押圧ブロック５０を押圧し、係合部２８から係合リング１２が外れ、ペットが逃走するのを防止することができる。
ペットを解放する場合、押圧ブロック５０を上方に押圧し、押圧ブロック５０の安全突起５１２を安全孔２５から離脱させ、更に、押圧ブロック５０を内側に押圧し、ロッド部４１を揺動して楕円形鉤部２１に切欠２３を形成し、係合部２８から係合リング１２を取り外す。
また、ロッド部４１内部の復帰バネ６２及び底部の螺旋バネ６１により、安全突起５１２及びロッド部４１は、自動的に復帰する。
【符号の説明】
【００１３】
１０  揺動体
１１  係合部
１２  係合リング
２０  留め具本体
２１  楕円形鉤部
２２  当接部
２３  切欠
２４  枢着座
２５  安全孔
２６  枢着孔
２８  係合部
４０  揺動体
４１  ロッド部
４２  収容室
４３  スリット
４４  枢着部
５０  押圧ブロック
５１  スライドブロック
５１１  円柱ロッド
５１２  安全突起
５２  押圧片
６０  リベット
６１  螺旋バネ
６１１  一方の端部
６１２  他方の端部
６２  復帰バネ
【図１】
0003186485.tif 000003
【図２】
0003186485.tif 000004
【図３】
0003186485.tif 000005
【図４】
0003186485.tif 000006
【図５】
0003186485.tif 000007
【図６】
0003186485.tif 000008
【図７】
0003186485.tif 000009
【図８】
0003186485.tif 000010